(57)【要約】【目的】外装材と下地構造材との間の距離を比較的小さくしても十分な通気効果が得られるような新規な通気壁構造用外装材を提供し、地震による震動等の外力に対する抵抗力を大きくする。【構成】通気壁構造に用いられる外装材であって、その裏面に所定方向に互いに平行に延長する複数の凹凸条（３）が設けられるとともに、各凸条３ａが部分的に切り欠き（７）により分断されていて凸条を横断する方向に通気路を形成しており、且つ、凹凸条の延長方向と直交する方向における両端部の裏面は略平坦面４ａ，４ｂとされていてその高さレベルが凹凸条の頂部と底部の間に設けられることを特徴としている。凸条の分断位置は凸条延長方向においてずらして設けられることが好ましい。【選択図】　　　図１
2004068277.tif 000002
【特許請求の範囲】
【請求項１】
裏面に所定方向に互いに平行に延長する複数の凹凸条が設けられるとともに、各凸条が部分的に分断されていて凸条を横断する方向に通気路を形成しており、且つ、凹凸条の延長方向と直交する方向における両端部の裏面は略平坦面とされていてその高さレベルが凹凸条の頂部と底部の間に設けられることを特徴とする通気壁構造用外装材。
【請求項２】
凸条の分断位置が凸条延長方向においてずらして設けられることを特徴とする請求項１記載の通気壁構造用外装板。
【発明の詳細な説明】
【０００１】
【発明の属する技術分野】
本発明は通気壁構造に用いられる外装材に関する。
【０００２】
【従来の技術】
従来の外装材は、一般にその裏面を平滑面とし、その表面に模様印刷、着色塗装、凹凸模様等の任意化粧が施されている。
【０００３】
ところで近年、家屋の外壁構造において壁面内に空気が流通するためのエアーサイクル空間を設ける工法が提案されている。この通気壁構造は、図５に示すように、柱、間柱等の下地構造材Ａ上に取付金具Ｂを用いて外装材Ｃ１，Ｃ２を下地構造材Ａとの間にエアーサイクル空間Ｄが形成されるように浮かせた状態で施工するものであって、より詳しくは、取付金具Ｂを釘Ｅ１，Ｅ２で下地構造材に固定するとともに、その外装材支持面（またはリブ）Ｆ上に外装材Ｃ１，Ｃ２の裏面を載置し、且つ、その先端係止片Ｇ１，Ｇ２を下側外装材Ｃ１の上端部および上側外装材Ｃ２の下端部にそれぞれ係止させて施工している。
【０００４】
【発明が解決しようとする課題】
このような従来の通気壁構造にあっては、通気が十分に行われるようにエアーサイクル空間Ｄを大きく取ろうとすると、外装材Ｃ１，Ｃ２の裏面と下地構造材Ａの表面との間の距離が大きくなり（たとえば１５ｍｍまたはそれ以上）、取付金具Ｂによる取付強度が不足がちとなり、地震による震動その他の外力に対して弱いという問題があった。
【０００５】
【課題を解決するための手段】
そこで本発明は、上記問題を解決し、外装材と下地構造材との間の距離を比較的小さくしても十分な通気効果が得られるような新規な通気壁構造用外装材を提供し、地震による震動等の外力に対する抵抗力を大きくすることを目的とする。
【０００６】
この目的を達成するため、請求項１にかかる本発明は、裏面に所定方向に互いに平行に延長する複数の凹凸条が設けられるとともに、各凸条が部分的に分断されていて凸条を横断する方向に通気路を形成しており、且つ、凹凸条の延長方向と直交する方向における両端部の裏面は略平坦面とされていてその高さレベルが凹凸条の頂部と底部の間に設けられることを特徴とする通気壁構造用外装材である。
【０００７】
請求項２は、請求項１記載の通気壁構造用外装材において、凸条の分断位置が凸条延長方向においてずらして設けられることを特徴としている。
【０００８】
【発明の実施の形態】
本発明による通気壁構造用外装材の一実施形態について図３を参照して説明すると、この外装材１は、セメント板、スラグセメント板、木片セメント板、ＡＬＣ板、パーライト板、珪酸カルシウム板等の無機質基板２よりなり、その裏面（施工時に下地構造材側となる面）には、その長手方向に互いに平行に延長する複数の凹凸条３が形成されている。この凹凸条３は、略平坦面とされた頂部を有する凸条３ａと湾曲断面形状を有する凹条３ｂとが交互に形成されてなる。無機質基板１の表面柄は任意であり、タイル調、レンガ調、岩割調等の柄模様を形成することができる。
【０００９】
この外装材の裏面図である図２に明らかなように、各凸条３ａには部分的に切り欠き７が設けられて分断されていて、これにより、凸条３ａを横断する方向に通気路を形成している。切り欠き７は凸条３ａの高さ分を切除することによって形成されており、したがって切り欠き７部は凹条３ｂと面一とされている。
【００１０】
また、各凸条３ａにおける切り欠き７位置は凸条３ａの延長方向（外装材１の長手方向）においてずらして設けられている。これは、外装材は一般的に短辺に対する長辺の長さ比が大きい寸法で製造されるため、運搬時および施工時に外装材表面に長手方向に対して直交方向の折り曲げ負荷がかかると割れやすいという問題があり、凸条３ａの切り欠き７位置が外装材の短手方向に直線的に整列するように形成すると、その部分が薄くなって割れやすくなってしまうことから、切り欠き７を長手方向にずらして形成したものである。
【００１１】
外装材１の短手方向両端部の裏面側は、凹凸条３が形成されずに略平坦面４ａ，４ｂとされており、その高さレベルは凹凸条３における凸条３ａの平坦頂部と凹条３ｂの底部の間とされている。
【００１２】
外装材１の短手方向両端部には、裏面側に突起部５ａを有する上実５と、係止溝６ａを有する下実６が設けられており、これら上実５と下実６との嵌合を介して外装材同士が短手方向に接合されて外壁面を構成する。図示実施形態では、無機質基板１の長手方向に沿った周縁に上実５および下実６が形成されているが、無機質基板１の短手方向に沿った周縁にも同様に実形成してもよい。
【００１３】
この実施形態の外装材の製造工程は特に限定されるものではないが、たとえば、無機質材を所定寸法に押し出し成形した直後に、平坦面を有する上方プレス盤と、裏面側凹凸条３の断面形状に対応した形状を有する下方プレス盤との間に圧接挟持することによって製造可能である。
【００１４】
このような構成の外装材１Ａ，１Ｂを柱、間柱等の下地構造材８上に取付金具１０を用いて施工して形成される通気壁構造が図１に示されている。取付金具１０により外装材１Ａ，１Ｂを上下に連接して施工したとき、外装材１Ａの上端部裏面４ａおよび外装材１Ｂの下端部裏面４ｂと下地構造材８面との間には、取付金具１０の高さに相当する距離Ｈ分の通気空間９が形成される。
【００１５】
このとき、外装材裏面の凹凸条３の深さ（凸条３ａの平坦頂部と凹条３ｂの底部の間の距離）をＤとし、凸条３ａの平坦頂部と下地構造材８面との間の距離をＬとしたとき、Ｌ＜Ｄとなるように設計される。たとえばＬは２〜５ｍｍ程度とする。従来技術（図５）によるときは前述のように外装材と下地構造材との間を１５ｍｍまたはそれ以上あけないと良好な通気性能が得られなかったが、本発明の構成によれば、通気空間９を上記のようにＬ＝２〜５ｍｍ程度の小さな隙間として形成しても、それよりも大きく（深く）形成される凹条３ｂの存在や、切り欠き７により凸条３ａを横断して形成される通気路の存在によって、良好な通気性能を得ることができる。
【００１６】
取付金具１０の詳細は図４に示されており、下地構造材８に当接する取付面１１および支持脚先端面１２ａ，１２ｂと、前記間隔Ｈ分の通気空間９を確保するための傾斜面１３および支持脚１４ａ，１４ｂと、これらの上端に接続して取付面１１および下方当接面１２と略平行に設けられる座面部１５と、この座面部１５の略中央に設けられる一対の平行なリブ１６，１６と、座面部１５の両端からそれぞれ延設される下向き係止片１７および上向き係止片１８とを有する。傾斜面１３には複数の釘穴１９が穿設されており、これら釘穴１９から釘２０を下地構造材８に打ち込むことによって取付金具１０が下地構造材８に対して固定される。取付面１１にも複数の釘穴２１が穿設されており、必要に応じて、釘穴１９に代えて、またはこれと併用して、釘打ち固定に用いてもよい。リブ１６，１６は座面部１５を補強し、その上に外装材１Ａの上端部裏面４ａおよび外装材１Ｂの下端部裏面４ｂを載置支持する役割を果たす。下向き係止片１７は下方に位置する外装材１Ａの上実５の突起部５ａを係止して外装材１Ａの上端部を固定し、上向き係止片１８は上方に位置する外装材１Ｂの下実６の係止溝６ａに嵌入して外装材１Ｂの下端部を固定する。符号２２は取付面１１と傾斜面１３に跨って形成される補強リブを示す。
【００１７】
施工に際しては、既に下端部が取付金具（１０）に支持されている下方外装材１Ａの上実突起部５ａを取付金具１０の下向き係止片１７で係止し、この状態を維持したまま、取付金具１０の取付面１１および支持脚先端面１２ａ，１２ｂを下地構造材８面に当接させて、釘２０により釘着固定する。これにより下方外装材１Ａの施工が完了する。次いで、上記のようにして下地構造材８面に固定された取付金具１０の上向き係止片１８を上方に施工すべき外装材１Ｂの下実係止溝６ａに嵌入させて該外装材１Ｂの下端部を支持する。以下、この作業を順次繰り返して通気壁を施工する。
【００１８】
【発明の効果】
本発明の通気壁構造用外装材によれば、通気空間を従来よりも大幅に小さくして形成した場合であっても、外装材裏面に所定方向に互いに平行に延長する複数の凹凸条が形成されているため、該凹凸条における凹条の存在、ならびに、切り欠きにより凸条を横断して形成される通気路の存在によって、良好な通気性能を発揮することができる。
【００１９】
本発明によれば、上記のように通気空間を小さな隙間としても良好な通気性能が確保されるため、外装材の施工に用いる取付金具の高さ寸法も小さくすることができ、取付強度が増大し、地震による震動その他の外力に対しても強く長期間に亘り安定した通気壁構造を得ることができる。
【図面の簡単な説明】
【図１】本発明の一実施形態による外装材による通気壁構造を示す縦断面図である。
【図２】この外装材の裏面図である。
【図３】この外装材の縦断面図（Ａ）および要部拡大縦断面図（Ｂ）である。
【図４】この外装材の施工に用いる取付金具の正面図（Ａ）および側面図（Ｂ）である。
【図５】従来の外装材による通気壁構造を示す縦断面図である。
【符号の説明】
１　通気壁構造用外装材
２　無機質材
３　裏面凹凸条
３ａ　凸条
３ｂ　凹条
４ａ，４ｂ　平坦面
５　上実
６　下実
７　切り欠き
８　下地構造材
９　通気空間
１０　取付金具
２０　釘
【図１】
2004068277.tif 000003
【図２】
2004068277.tif 000004
【図３】
2004068277.tif 000005
【図４】
2004068277.tif 000006
【図５】
2004068277.tif 000007